(57)【要約】【課題】  折り畳んだときに偏平になるが、組立や折り畳みがきわめて簡単にできる紙箱を提供する。【解決手段】  底壁から四角形の側壁を起立した箱本体を台紙の上に載せ、底壁の一つの対角線を切断するとともに、対角線が側壁に到達するそれぞれのコーナー部と対向する二つのコーナー部からそれぞれ対角線に到達する二つの降線に折癖を付け、一つの降線と対角線の間を台紙に接着して接着部とする。【選択図】  図１
2011079541.tif 000002
【特許請求の範囲】
【請求項１】
底壁から四角形の側壁を起立した箱本体を台紙の上に載せ、底壁の一つの対角線を切断するとともに、対角線が側壁に到達するそれぞれのコーナー部と対向する二つのコーナー部からそれぞれ対角線に到達する二つの降線に折癖を付け、一つの降線と対角線の間を台紙に接着して接着部としたことを特徴とする紙箱。
【請求項２】
接着部の辺に対向する辺の台紙の部分に上面に剥離紙を貼った両面テープを接着した請求項１の紙箱。
【請求項３】
接着部に到達する降線の折癖が山折り又は谷折りである請求項１又は２の紙箱。
【請求項４】
紙箱が身又は蓋である請求項１〜３いずれかの紙箱。
【請求項５】
台紙を一方の側壁の高さとこの側壁と他方の側壁の間の長さだけ延長するとともに、側壁の下端部分と上端部分の境界線に折癖を付けておき、底壁と側壁で囲まれた部分を身とし、延長部分を蓋とした請求項１〜３いずれかの紙箱。
【発明の詳細な説明】
【技術分野】
【０００１】
本発明は、紙箱に関するものである。
【背景技術】
【０００２】
ケーキやクッキー等は顧客に売り渡されるときに紙箱に収容される。この紙箱は箱の形で保管されている場合もあるが、嵩張ることもあって多くは組立式（折り畳み式）になっている。下記特許文献１には、箱を一枚の展開した状態にし、これに箱にするための折り目を形成するとともに、箱の形状を維持するための嵌合溝（孔）とこれに挿入される舌片部を形成したものが示されている。
【０００３】
このような箱を組み立てるには、折り目に沿って順次折り曲げ、最後に嵌合溝に舌片部を挿入するようにしている。これによると、箱にするために数多くの折り目を折らなければならず、非常に手間がかかるし、場合によっては、どのように折るのかわからい場合もある。さらに、嵌合溝に舌片部を挿入しなければならず、これも力が要る上に手間がかかる。
【先行技術文献】
【特許文献】
【０００４】
【特許文献１】実用新案登録第３１１８７４８号公報
【発明の概要】
【発明が解決しようとする課題】
【０００５】
本発明は、折り畳んだときには嵩張らない偏平な形状をしているものの、組立や折り畳みの操作・作業がきわめて容易にできるようにしたものである。
【課題を解決するための手段】
【０００６】
以上の課題の下、本発明は、請求項１に記載した、底壁から四角形の側壁を起立した箱本体を台紙の上に載せ、底壁の一つの対角線を切断するとともに、対角線が側壁に到達するそれぞれのコーナー部と対向する二つのコーナー部からそれぞれ対角線に到達する二つの降線に折癖を付け、一つの降線と対角線の間を台紙に接着して接着部としたことを特徴とする紙箱を提供したものである。
【０００７】
また、この紙箱において、請求項２に記載した、接着部の辺に対向する辺の台紙の部分に上面に剥離紙を貼った両面テープを接着した手段、請求項３に記載した、接着部に到達する降線の折癖が山折り又は谷折りである手段、請求項４に記載した、紙箱が身又は蓋である手段、請求項５に記載した、台紙を一方の側壁の高さとこの側壁と他方の側壁の間の長さだけ延長するとともに、側壁の下端部分と上端部分の境界線に折癖を付けておき、底壁と側壁で囲まれた部分を身とし、延長部分を蓋とした手段を提供する。
【発明の効果】
【０００８】
請求項１の発明によると、箱を折り畳むには、接着部に対向する側壁を接着部側の側壁に対して平行にずらすだけでよい。そして、折り畳んだ状態では、側壁及び底壁が二枚重ねになったものと台紙の厚みだけになるから、非常に偏平になり、嵩張らない。なお、組み立てるには、これと反対の操作、すなわち、一方の側壁を他方の側壁に対向するようにずらせるだけで底壁は台紙に密着して箱となり、この操作もきわめて簡単である。
【図面の簡単な説明】
【０００９】
【図１】紙箱の組立状態を示す斜視図である。
【図２】紙箱の組立状態を示す平面図である。
【図３】紙箱の組立状態を示す側面図である。
【図４】紙箱を折り畳む際の平面図である。
【図５】紙箱を折り畳んだ状態の平面図である。
【図６】紙箱を折り畳んだ状態の側面図である。
【図７】他の例の紙箱の組立状態を示す斜視図である。
【図８】他の例の紙箱の折り畳み状態を示す側面図である。
【発明を実施するための形態】
【００１０】
以下、本発明の実施の形態を図面を参照して説明する。図１は組み立てた状態の紙箱の斜視図、図２は平面図、図３は側面図であるが、この紙箱は底壁１と、底壁１から起立する四角形をした（上方は開口している）側壁２ａ〜２ｄからなる箱本体と、箱本体を上に載せる台紙３とからなる。この場合、側壁２ａ〜２ｄの各コーナー部５ａ〜５ｄはそれぞれ内外に容易に折れるように折癖がつけてある。
【００１１】
これにおいて、底壁１の一つの対角線４は切断しておくとともに、対角線４がそれぞれの側壁２ａ〜２ｄに到達するコーナー部５ｂ、５ｄと対向する二つのコーナー部５ａ、５ｃからそれぞれ対角線４に到達する二つの降線６ａ、６ｂを形成し、この降線６ａ、６ｂに折癖をつけておく。そして、一つの降線６ａと対角線４との間を台紙３に接着して接着部７としたものである。
【００１２】
紙箱は以上の構成になっており、これによると、底壁１は対角線４と二つの降線６ａ、６ｂとで四つの三角形に仕切られることになり、このうち、一つの三角形が台紙３と接着される接着部７ということになる（他の三つの三角形は台紙３に接着されていない）。したがって、一方の側壁２ｂを接着部７のコーナー部５ｄ側に引っ張ると（図４）、底壁１は接着部７を残して浮き上がりながら平行四辺形に変形するが、このとき、降線６ａ、６ｂには折癖が付けられていることと相まって、約９０°回転してついには他方の側壁２ａに重なるまで移動して折り畳める（図５）。この状態になると、側壁２ａ、２ｂ同士は重なり、接着部７以外の底壁１も接着部７や台紙３の上に重なる（図６）。
【００１３】
この場合、接着部７に隣接する降線６ａの折癖は谷折りにするが、接着部７と対向する降線６ｂの折癖は山折りでも谷折りでもよい。ただ、谷折りにした場合、折り畳むときや組み立てるときにこの降線６ｂが台紙３に擦れることがあるから、山折りにするのが好ましい（図５は山折りにした場合）。また、降線６ａ、６ｂが対角線４と交叉する個所は、折り畳んだときに側壁２ａ、２ｂが上下揃った状態で重なる位置にするのが適する。
【００１４】
一方、折り畳んだ状態から組み立てるには上記と逆の操作をすればよい。組み立てられた状態になると、側壁２ａ〜２ｄが各コーナー部５ａ〜５ｄで繋がっていること、底壁１全体は台紙３の上に載ることから、容易に形が崩れず、箱形状を維持する。箱形状が維持される限り、底壁１の対角線４が切断されていても、底壁１の下には台紙３が密着して存在しているから、内容物が脱漏することはない。
【００１５】
この点で、側壁２ａ〜２ｄや台紙３はある程度紙厚のあるものが好ましく、紙質も高級紙を貼った貼箱等が最適であるが、普通紙のものでもかまわない。また、製函方法も打抜箱、組立箱を問わない。なお、接着部７の辺に対向する辺の台紙３の部分に上面に剥離紙を貼った両面テープ８を辺に沿わせて接着しておき、組み立てたとき、その剥離紙を剥がして底壁１を接着すれば、箱形状の維持は更に強固になる。
【００１６】
このような構成の紙箱は身であっても、蓋であってもよい。すなわち、サイズを違えて大きいものを蓋にし、小さいものを身にすればよい。このとき、身の方の台紙３は側壁２ａ〜２ｄの大きさよりもやや大きくして蓋の下端がこの部分に当たるようにしておけば、美観上好ましいものになる。以上のように、本発明による紙箱は、折り畳みや組立が非常に簡単であり、さらに、折り畳んだ状態で偏平になり（台紙３及び二枚の側壁２ａ〜２ｄと底壁１の都合三枚の紙厚に納まる）、嵩張らず、保管や輸送に好都合となるのが特徴である。
【００１７】
図７は本発明に係る紙箱の他の例を示す組み立てた状態の斜視図、図８は折り畳んだときの側面図であるが、本例のものは、身と蓋を一体にしたもので、台紙３を一つの側壁２ｂの高さとこの側壁２ｂと対向する側壁２ａ間の長さだけ延長するとともに、側壁２ｂの下端部分と上端部分の境界線９、１０に内折の折癖を付けておき、底壁１と側壁２ａ〜２ｄで囲まれた部分を身とし、延長部分１１を蓋としたものである。この場合であっても、折り畳みや組立の操作及び折り畳み姿勢は上記と同じである。なお、折り畳んだときに延長部分１１を折り畳むことができ、こうすることで、出っ張り量を小さくできる。
【符号の説明】
【００１８】
１            底壁
２ａ〜２ｄ    側壁
３            台紙
４            対角線
５ａ〜５ｄ    側壁のコーナー部
６ａ〜６ｂ    降線
７            接着部
８            両面テープ
９            境界線
１０          境界線
１１          延長部分
【図１】
2011079541.tif 000003
【図２】
2011079541.tif 000004
【図３】
2011079541.tif 000005
【図４】
2011079541.tif 000006
【図５】
2011079541.tif 000007
【図６】
2011079541.tif 000008
【図７】
2011079541.tif 000009
【図８】
2011079541.tif 000010